(57)【要約】【課題】ＲＯＭ及びＣＰＵなどの電子部品の交換や変造といった偽装を容易に発見できる遊技機、遊技機の集積回路パッケージ、遊技機の集積回路及びそれらに貼付される偽装を容易に発見できるラベルを提供する。【解決手段】遊技機の制御基板に配設される集積回路を含むパッケージと、パッケージに貼付されたラベル１とからなり、ラベル１は、ガラスビーズ３の一部が露出した状態で埋め込まれて多数のガラスビーズを整列配置した保持層３と、ガラスビーズ１が露出した面の反対側に設けた透明な反射層４とからなる再帰反射体と、ガラスビーズ３の露出面の少なくとも一部に設けた層厚５μｍ未満の印刷層２とからなる。【選択図】図１
2009268532.tif 000002
【特許請求の範囲】
【請求項１】
遊技機の制御基板に配設される集積回路を含むパッケージと、該パッケージに貼付されたラベルとを備え、
上記ラベルが、ガラスビーズの一部が露出した状態で埋め込まれて多数のガラスビーズが整列配置された保持層と、上記ガラスビーズが露出した面の反対側に設けられた透明の反射層とからなる再帰反射体と、上記整列配置されたガラスビーズの露出面の少なくとも一部に設けられた層厚５μｍ未満の印刷層とからなることを特徴とする、遊技機。
【請求項２】
遊技機の制御基板に配設される集積回路を含むパッケージと、上記パッケージに貼付されたラベルとからなり、
上記ラベルが、ガラスビーズの一部が露出した状態で埋め込まれて多数のガラスビーズが整列配置された保持層と、上記ガラスビーズが露出した面の反対側に設けられた透明の反射層とからなる再帰反射体と、上記整列配置されたガラスビーズの露出面の少なくとも一部に設けられた層厚５μｍ未満の印刷層とからなることを特徴とする、遊技機の集積回路パッケージ。
【請求項３】
遊技機の制御に使用される集積回路と、該集積回路に貼付されたラベルとからなり、
上記ラベルが、ガラスビーズの一部が露出した状態で埋め込まれて多数のガラスビーズが整列配置された保持層と、上記ガラスビーズが露出した面の反対側に設けられた透明の反射層とからなる再帰反射体と、上記整列配置されたガラスビーズの露出面の少なくとも一部に設けられた層厚５μｍ未満の印刷層とからなることを特徴とする、遊技機の集積回路。
【請求項４】
遊技機の制御基板、制御板に配設される集積回路パッケージ又は集積回路に貼付されるラベルであって、
上記ラベルが、ガラスビーズの一部が露出した状態で埋め込まれて多数のガラスビーズが整列配置された保持層と、上記ガラスビーズが露出した面の反対側に設けられた透明の反射層とからなる再帰反射体と、上記整列配置されたガラスビーズの露出面の少なくとも一部に設けられた層厚５μｍ未満の印刷層とからなることを特徴とする、ラベル。
【請求項５】
前記印刷層は、透明層である、請求項１記載の遊技機。
【請求項６】
前記印刷層は、透明層である、請求項２記載の遊技機の集積回路パッケージ。
【請求項７】
前記印刷層は、透明層である、請求項３記載の遊技機の集積回路。
【請求項８】
前記印刷層は、透明層である、請求項４記載のラベル。
【発明の詳細な説明】
【技術分野】
【０００１】
本発明は遊技機、遊技機の集積回路パッケージ、遊技機の集積回路及びそれらに貼付するラベルに関する。さらに詳しくは、本発明は、集積回路の偽造の発見が容易になる遊技機、遊技機の集積回路パッケージ、遊技機の集積回路、及びそれらに貼付されるラベルに関する。
【背景技術】
【０００２】
パチンコ、パチスロなどの遊技機には、遊技機を制御するためにＲＯＭ及びＣＰＵを集収した集積回路パッケージが搭載され、ＲＯＭには、大当りの期待値、入賞口の開口時間、規定の賞球数、ゲーム内容等のプログラムが記憶されている。ＣＰＵは、ＲＯＭに記憶されたプログラムを実行し、所期のゲームを遂行させる機能がある。
【０００３】
ところが最近、ＲＯＭ及びＣＰＵ等の集積回路を変造し、不正ＲＯＭ及びＣＰＵにして不正遊技を行うことが社会問題になっている。不正遊技を行うため、遊技機から集積回路パッケージを取り出し開封及び／又はパッケージに穴を開けて、ＲＯＭ及び／又はＣＰＵに細工を施したり、別のものに交換したりする悪質な行為が多発している。また、ＲＯＭ及び／又はＣＰＵに細工を施すこと以外にも、不正なデータを格納させたＲＯＭ及びＣＰＵを偽造し、遊技機に取り付けることもある。
【０００４】
一方、従来からＲＯＭの上面には、遊技機名、型番、製造元などを示すラベルが貼着してあり、また、ＣＰＵの上面にも製造元、型番などが印刷してある。そして、これらのラベルや印刷によりＲＯＭ及びＣＰＵが偽物ではないことを保証している。しかし、通常のラベルや印刷は、容易に複製が可能である。したがって、細工や偽造したＲＯＭ及びＣＰＵに偽造したラベルや偽物の印刷を施されると、目視による真贋の判別は難しい。
【０００５】
そこで、ＲＯＭの真贋の判別を行うために、例えば、特許文献１には遊技機のメモリー不正改造検出装置が開示されている。しかし、この装置で真贋を判別するには、ＲＯＭを基板から取り外すと共に、検出装置よって検証する必要があり、多大な手間を要する。
【０００６】
また、遊技機、遊技機の集積回路パッケージ、遊技機の集積回路及びそれらに貼付されたラベルは、アルコール等の有機溶媒や加熱によって粘着剤の接着力を弱めてラベルを剥離できるため、再使用されることもある。このような場合、集積回路の不正改造や偽装を見つけることは極めて困難になる。
【０００７】
【特許文献１】特開平７−２４１２６号公報
【発明の開示】
【発明が解決しようとする課題】
【０００８】
本発明は、ＲＯＭ及びＣＰＵなどの電子部品の交換や変造といった偽装を容易に発見できる遊技機、遊技機の集積回路パッケージ、遊技機の集積回路及びそれらに貼付される偽装を容易に発見できるラベルを提供することを目的とする。
【課題を解決するための手段】
【０００９】
前記目的を達成するために、本発明者らは鋭意検討を行い、再帰反射体のガラスビーズ露出面に薄い印刷層を設けた場合、印刷層がわずかな力で剥がれ落ちることを見出し、本発明を完成するに至った。
【００１０】
すなわち、本発明の遊技機は、遊技機の制御基板に配設される集積回路を含むパッケージと、パッケージに貼付されたラベルとを備え、ラベルがガラスビーズの一部が露出した状態で埋め込まれて多数のガラスビーズが整列配置された保持層と、ガラスビーズが露出した面の反対側に設けられた透明の反射層とからなる再帰反射体と、整列配置されたガラスビーズの露出面の少なくとも一部に設けられた層厚５μｍ未満の印刷層とからなることを特徴とする。
【００１１】
本発明の遊技機の集積回路パッケージは、遊技機の制御基板に使用される集積回路を含むパッケージと、パッケージに貼付されたラベルとからなり、ラベルがガラスビーズの一部が露出した状態で埋め込まれて多数のガラスビーズが整列配置された保持層と、ガラスビーズが露出した面の反対側に設けられた透明の反射層とからなる再帰反射体と、整列配置されたガラスビーズの露出面の少なくとも一部に設けられた層厚５μｍ未満の印刷層とからなることを特徴とする。
【００１２】
本発明の遊技機の集積回路は、遊技機の制御基板に配設される集積回路を含むパッケージと、パッケージに貼付された開封防止ラベルとからなり、ラベルがガラスビーズの一部が露出した状態で埋め込まれて多数のガラスビーズが整列配置された保持層と、ガラスビーズが露出した面の反対側に設けられた透明の反射層とからなる再帰反射体と、整列配置されたガラスビーズの露出面の少なくとも一部に設けられた層厚５μｍ未満の印刷層とからなることを特徴とする。
【００１３】
本発明のラベルは、ガラスビーズの一部が露出した状態で埋め込まれて多数のガラスビーズが整列配置された保持層と、整列配置されたガラスビーズが露出した面の反対側に設けられた透明の反射層と、ガラスビーズの露出面の少なくとも一部に設けられた層厚５μｍ未満の印刷層とからなる、印刷層を有する再帰反射体であり、遊技機の制御基板、制御板に配設される集積回路パッケージ又は集積回路に貼付することができる。
このラベルは、再帰反射材のガラスビーズ上に印刷をすることで簡単に得ることができる。そして、本発明の遊技機の制御基板、制御板に配設される集積回路パッケージ又は集積回路に貼付することで、遊技機、遊技機の集積回路パッケージの不正開封、さらに遊技機の集積回路の偽装を簡単に見分けられることができ、さらにラベルの偽造の発見も容易にできる。
【発明の効果】
【００１４】
本発明の遊技機の制御基板、制御板に配設される集積回路パッケージ又は集積回路において、貼付されたラベルを剥離するときに、印刷層が擦られて、印刷層が簡単に剥がれ落とされてしまう。たとえ、アルコール等の有機溶媒や加熱によって粘着剤の接着力を弱めて剥離したとしても、剥がすときに印刷層に力が加わるため、印刷層がガラスビーズの表面から剥がれ落ちてしまう。
印刷層を有する再帰反射体に強い光を照射すると、印刷層の存在する領域と印刷層の存在しない領域とのコントラストがはっきりするが、印刷層が剥離した再帰反射体では、反射層の色だけが強調されて見える。
したがって、強い光の下で印刷層の有無を調べることで、ラベルに力が加えられ意図的な操作が加えられたか否かを推察することができる。
なお、印刷層に使用するインキを透明インキあるいは光散乱性インキを使用して太陽光や照明光のような通常の光の下では印刷を目立たなくすることによって、偽装又は偽造防止のセキュリティを高めることができる。
また、印刷層の縁に沿って印刷保護層を設けることにより、輸送時等に不用意に印刷層が剥がれ落ちることを防止することができ、剥離確認の精度を向上させることができる。
【発明を実施するための最良の形態】
【００１５】
以下、図面に基づいて本発明を幾つかの実施形態により詳細に説明する。
（実施形態１）
図１は本発明の遊技機の制御基板、制御板に配設される集積回路パッケージ又は集積回路に貼付されるラベルの一実施形態の概略構成を示す図である。
図１において、ラベル１は、上方から順に印刷層２、ガラスビーズ３、反射層４、保持層５、基材６からなる。ここでガラスビーズ３は、保持層５の表面側に一部が露出するように埋め込まれている。すなわち、ラベル１は、基材６上に一部が露出した状態で埋め込まれ、露出した面の反対側に設けられた透明の反射層（以下「反射層」という）４を備えた多数のガラスビーズ３が整列配置された保持層５と、整列配置されたガラスビーズ３の露出面上の少なくとも一部に設けられた層厚５μｍ未満の印刷層２とから構成される。
【００１６】
本発明のラベル１に強い光、例えば光学レンズを介した光や光の方向性が揃えられた光を当てると、印刷層２のないガラスビーズ３では入射した光が屈折して戻ってくるため、反射層４の色が強調され、自然光の下で見える色彩より鮮やかな色彩となって見える。一方、印刷層２が存在すると、ガラスビーズで屈折して戻ってきた光が印刷層２によって遮られる。このため、印刷層２の存在する領域と印刷層２のない領域間にコントラストが生ずることになる。
【００１７】
印刷層２は、セキュリティ情報（以下「印刷意匠」ということもある）が印刷された層であり、厚さは０．５〜５μｍ未満、好ましくは１〜３μｍ以下の範囲である。厚さが５μｍ以上になると、印刷層２は、ガラスビーズ３を擦る程度の力では剥がれ落ちにくくなる。これは、ガラスビーズ３を擦る程度の力は、印刷層２全体をガラスビーズ３から剥ぎ取るほどの力でなく、仮に印刷層２が削れ取れたとしても、印刷層２が薄い状態で残りやすいためと考えられる。膜厚さが０．５μｍ未満になると、屈折して戻ってきた光が印刷層２を透過しやすくなる。したがって、印刷層２が存在しても強い光を当てた場合に、ラベルの反射層４の色が強調されることになるので好ましくない。
印刷層２は、ガラスビーズ３面を全体的に覆うように形成されていてもよく、あるいは断片的に形成されていてもよい。ここで印刷意匠とは、文字や意匠等を含む符号を意味する。印刷層２のインキは無機顔料、有機顔料のいずれを用いてもよく、活版印刷、写真版印刷、水なし平板印刷、グラビア印刷、彫刻凹版印刷、スクリーン印刷又はコロタイプ印刷のいずれの印刷方法やインクジェットプリンタ等による印字により印刷層２を形成することができる。なお、セキュリティを強化するために、インキを太陽光や照明の光のような通常の光の下では目立たないようにすることが望ましい。このために透明インキを使用し、またはインキに光吸収のほとんどないアクリルエマルジョンや酸化チタン等の光散乱粉末を混ぜたものでもよく、或いはパール顔料を使用したインキとしてもよい。
【００１８】
印刷層２は不透明な層としてもよいが、透明層あるいは光透過性の高い有色透明層としてもよい。再帰反射体の透明性を高める場合やセキュリティを高める目的の場合には、透明層又は光透過性の高い有色透明層が好ましい。印刷層２が透明層又は光透過性の高い有色透明層の場合、印刷層の有無で光の屈折率が異なる。
本発明のラベルに強い光を照射すると、印刷層２の存在する領域では、ガラスビーズ３に入射する光や屈折して印刷層２に戻ってくる光の一部が反射されたり吸収され、反射層の色が強調されにくい。
一方、印刷層２のない領域や印刷層が剥がれ落ちた領域では、反射層４の色彩が強調されることになる。
すなわち、本発明の印刷層２を有する再帰反射体に強い光を照射すると印刷層２と反射層４のコントラストがはっきり見えるが、印刷層２が剥がれ落ちた場合には、コントラストが弱くなる。したがって、コントラストの状態を確認することで、印刷層２の有無を簡易に確認することができる。
【００１９】
ガラスビーズ３は入射した光を屈折させるための球で、おおよそ下半分が保持層５に埋没した状態で、残りの上半分が空気中に露出した状態となっている。ガラスビーズ３の素材は特に限定されるものではなく、ＢａＯ−ＳｉＯ２−ＴｉＯ２系ガラス、ＢａＯ−ＺｎＯ−ＴｉＯ２系ガラスを用いることができる。屈折率は通常用いられる１．９〜２．２の範囲にあるものであれば良い。本実施形態では屈折率は１．９前後である。
【００２０】
反射層４は、ガラスビーズ３へ入射した光を反射する層であり、ガラスビーズ３が露出した面の反対側に設けられている。具体的には、反射層４は図１に示すようにガラスビーズ３の下側表面側に沿って設けられている。すなわち、ガラスビーズ３と保持層５との間に挟まれて反射層４が形成されている。
なお、遊技機の制御基板や集積回路パッケージに貼付される偽造防止用のラベルは、制御基板等への不正操作が加えられたことを発見し易くする手段が多く備えられているほうが好ましい。このためには、基板の配線や基板自体が見え易いように透明性の高いものであることが求められる（例えば図８参照）。したがって、反射層４は、不透明な層ではなく、ある程度の透明性を有する層とする必要がある。
【００２１】
反射層４は、金属化合物、例えば、酸化チタン、酸化ビスマス、酸化ジルコニウム、酸化ケイ素、酸化亜鉛、硫化亜鉛及びこれらの混合物のほかアルミニウムを用いて形成することができる。反射層４を透明にする場合には透明性の高い樹脂を用いる。このような樹脂としては、例えばポリスチレン系樹脂、ポリエステル系樹脂、アクリル系樹脂、シリコーン樹脂、フッ素樹脂、ポリアミド系樹脂、ポリビニルアルコール系樹脂、ポリウレタン系樹脂、ポリオレフィン系樹脂、ポリカーボネート樹脂、ポリスルホン樹脂などの熱可塑性樹脂を用い、塗布等により反射層４を形成する。
また、透明インキをガラスビーズ３と保持層５の境界に浸透させて、透明反射層としてもよい。
透明な反射層４は、無色透明な層であっても有色透明な層であってもよい。有色透明な層とする場合には、透明性の高い樹脂に有色透明インキで混ぜて色をつけてもよく、また、有色透明インキをガラスビーズ３と保持層５の境界に浸透させて、透明反射層４としてもよい。有色透明インキとしては、蛍光インキや透過性の高いプロセスインキ等を挙げることができる。
【００２２】
保持層５はガラスビーズ３を保持し、基材６とガラスビーズ３を接着して保持する層であるため、ガラスビーズ３との接着性が良い樹脂を適用することが好ましい。なお、好ましくは透明性の高い樹脂である。このような樹脂としては、例えばポリスチレン系樹脂、ポリエステル系樹脂、アクリル系樹脂、シリコーン樹脂、フッ素樹脂、ポリアミド系樹脂、ポリビニルアルコール系樹脂、ポリウレタン系樹脂、ポリオレフィン系樹脂、ポリカーボネート樹脂、ポリスルホン樹脂などの熱可塑性樹脂がある。なお、樹脂に光吸収のほとんどないアクリルエマルジョンや酸化チタン等の光散乱粉末を混ぜてもよい。
【００２３】
基材６は、ラベル１の基板となるものであり、支持層７及び／又は粘着層８から構成される。支持層７は、印刷層２、ガラスビーズ３、反射層４及び保持層５の積層を支持する層であり、ポリエステル系樹脂、ポリオレフィン系樹脂、セルロース系樹脂、アクリル系樹脂等のフィルムを用いることができる。
粘着層８は透明性の高い粘着剤を用いて形成することが好ましい。例えば、ポリエステル系粘着剤、アクリル系粘着剤、ウレタン系粘着剤、酸化ビニル系粘着剤を挙げることができる。なお、粘着層８の下面には使用前に剥がして粘着層８を露出する剥離シートをさらに張り付けてもよい。
【００２４】
以下、本発明のガラスビーズ上に印刷層２を有する再帰反射体の製造方法を簡単に説明する。
ガラスビーズ３に反射層４が設けられた再帰反射体の製造工程は、基本的にはガラスビーズ３の固定工程、反射層４の形成工程、基材６の貼り付け工程、フィルム剥離工程とからなる。以下により具体的な製造方法を説明する。
ＰＥＴフィルム等のフィルムの上面に、ポリエチレン樹脂を塗布して、その上にガラスビーズを散布し、乾燥してガラスビーズの下半球をポリエチレン樹脂中に埋没させる（ガラスビーズ３の固定工程）。次に、露出したガラスビーズ３の上面に金属化合物の薄膜を１００〜６００ｎｍの範囲内で蒸着させる（反射層４の形成工程）。そして、保護層を有する基材を反射層４に貼りあわせ（基材６の貼り付け工程）、最後にＰＥＴフィルム等のフィルムを剥離する（フィルム剥離工程）。
【００２５】
得られた再帰反射体のガラスビーズ３上に、前述したように、活版印刷、写真版印刷、水なし平板印刷、グラビア印刷、彫刻凹版印刷、スクリーン印刷又はコロタイプ印刷のいずれの印刷方法やインクジェットプリンタ等による印字により印刷層２を形成する。
得られたガラスビーズ上に印刷層２を有する再帰反射体を特定の形の粘着シールとする場合（例えば、円形状ラベルシール）には、円形状ラベル（以下「ラベル」ということもある）だけが剥離シート上に整列したシートとする（図７参照）。ラベルだけが剥離シート上に残った粘着シールは、ガラスビーズ上に印刷層有する再帰反射体にラベル形状の切れ込みを入れ、円形状ラベル残余部だけを剥離することで得ることができる。
しかし、ラベル残余部を剥離する際（シール滓上げ）、ラベル残余部とラベル部が一緒に剥離して（以下「共上がり」という）しまうことが起こる。共上がりを防止するためには、図６に示すように、ラベル部１０の側辺にラベル残余部１１に跨った切れ込み１２を有するシールの構造とする。
切れ込み１２は、ラベル部の周縁でお互いが対角するように設けられ、ラベル打抜きカット１３より浅い深さとなっていることが望ましい。このようなラベル部１０とラベル残余部１１に跨った切れ込み１２を備えることで、ラベル残余部１１を剥離層から剥がすラベル部１０にかかる力が分散され、共上がりを防止することができる。
【００２６】
切れ込み１２とラベル打抜きカット１３を入れるにはラベルの打抜きに用いる歯は、例えば、トムソン刃やロータリー刃などが使用できる。
【００２７】
本発明の印刷層を有する再帰反射体は、通常使用時には支障がないが、再帰反射体に不用意な力が加えられたり、印刷層２が不用意に擦られたりすると、ガラスビーズ３の表面から印刷層２が剥がれ落ちてしまう。したがって、仮にアルコール等の有機溶媒や加熱によって、粘着剤の接着力が弱められてシールを剥がされたとしても、本発明の印刷層２を有する再帰反射体を掴むこと等の行為により、印刷層２に通常加わることのない力が加わり、印刷層２が簡単に崩壊してしまう。したがって、集積回路の基板等に貼付された本発明のラベル１に（図８及び図９参照）に強い光を照射して印刷層２の有無を調べ、その結果に基づき、再使用行為が行われたか否かを判断することができる。前述したように、印刷層２がない場合には、強い光の下で反射層４の色が強調されて見える。なお、図８及び図９において、符号２０は制御基板、符号２１は集積回路パッケージ、符号２２は集積回路を示す。
【００２８】
また、印刷層２の印刷意匠をパール顔料や透明インキで印刷することにより、太陽光や照明の光のような通常の光の下では印刷意匠の視認を困難にし、セキュリティの強化と向上を図ることが可能となる。
【００２９】
（実施形態２）
実施形態１の変形例を図２に示す。実施形態１とは、反射層４がガラスビーズ３から離れて保持層５の下段に設けられている点で異なる。
図２において、ラベル１Ａは、上方から順に印刷層２、ガラスビーズ３、保持層５、反射層４、基材６からなる。ここでガラスビーズ３は、実施形態１と同様に保持層５の表面側に一部が露出するように埋め込まれている。すなわち、ラベル１Ａは、基材６上に、反射層４と、一部が露出した状態で埋め込まれ、多数のガラスビーズ３が整列配置された保持層５と、ガラスビーズ３の露出面上に設けられた印刷層２とがこの順で設けられた構造体である。
【００３０】
反射層４はガラスビーズ３の焦点位置にあればよく、焦点位置はガラスビーズ３の屈折率により決まる。本実施形態では屈折率は２．２前後である。
また、前述したように、反射層４は、無色又は有色の薄い膜であり、透明性を有する。再帰反射体が透明性であるため再帰反射体自体が目立たないので、偽造防止用としては好ましい。
【００３１】
反射層４は、前述した金属化合物を用いて形成することができる。
【００３２】
保持層５は、入射光及び反射光を透過するため、透明性が高く、ガラスビーズ３との接着性の良い樹脂を適用することが好ましい。ポリスチレン系樹脂、ポリエステル系樹脂、アクリル系樹脂、シリコーン樹脂、フッ素樹脂、ポリアミド系樹脂、ポリビニルアルコール系樹脂、ポリウレタン系樹脂、ポリオレフィン系樹脂、ポリカーボネート樹脂、ポリスルホン樹脂などの熱可塑性樹脂等から透明性の高い樹脂を選択すればよい。
他の条件は、実施形態１と同じである。
【００３３】
（実施形態３）
別の実施形態３を図３〜図５に示す。実施形態１及び２とは、印刷保護層９を備える点で異なる。
図３、図４において、ラベル１Ｂは、上方から順に印刷層２の縁に沿って設けられた印刷保護層９、印刷層２、ガラスビーズ３、反射層４、保持層５、基材６からなる。すなわち、ラベル１Ｂは、ガラスビーズ３の一部が露出した状態で埋め込まれ、多数のガラスビーズが整列配置された保持層５と、ガラスビーズ３が露出した面の反対側に設けられた反射層４と、ガラスビーズ３の露出面上の印刷層２とを備え、印刷層２の縁に沿って印刷保護層９が設けられた構造体である。
【００３４】
印刷層２、ガラスビーズ３、保持層５、反射層４及び基材６は、実施形態１、２で述べた条件と同じである。なお、反射層４はガラスビーズ３の下側表面を被覆するように、あるいは印刷層２のインキの浸透層として設けられていてもよく、又は実施形態２で述べたようにガラスビーズ３から離されて保持層５の後段に設けられていてもよい。
【００３５】
印刷保護層９は、搬送時等にシールが重ねられ、印刷層２に力が加えられて、印刷層２が崩壊することを防止するためのものである。図３及び図４に示すように、印刷保護層９は印刷層２上に、その縁に沿って設けられている。印刷保護層９は、印刷インキ又は熱可塑性樹脂が好ましい。熱可塑性樹脂としては、例えばポリスチレン系樹脂、ポリエステル系樹脂、アクリル系樹脂、シリコーン樹脂、フッ素樹脂、ポリアミド系樹脂、ポリビニルアルコール系樹脂、ポリウレタン系樹脂、ポリオレフィン系樹脂、ポリカーボネート樹脂、ポリスルホン樹脂などがある。印刷保護層９を設けることにより、印刷層２は厚みを増し崩落しにくくなる。印刷保護層９は、印刷層２との合計で５μｍ以上の厚さを有することが望ましい。
印刷保護層９を形成することで、印刷層２が不用意に触れられることを防止できるので偽装発見の精度を向上させることが可能になる。
【００３６】
（実施形態４）
実施形態３の変形例を図５に示す。実施形態３とは、印刷保護層９がガラスビーズ３上に設けられている点で異なる。
図５に示すように、本実施形態のラベル１Ｃは、ガラスビーズ３上に縁に沿って設けられた印刷保護層９と、ガラスビーズ３上に設けられた印刷層２と、保持層５に約半分埋め込まれた反射層４を露出部と反対側に設けられたガラスビーズ３と、基材６上に設けられた保持層５とからなる。すなわち、ラベル１Ｃは、ガラスビーズ３の一部が露出した状態で埋め込まれ、多数のガラスビーズ３が整列配置された保持層５と、ガラスビーズ３が露出した面の反対側に設けられた反射層４と、ガラスビーズ３の露出面上の印刷層２とを備え、保持層５の縁に沿って印刷保護層９が設けられた構造体である。
印刷保護層９は、印刷インキ又は熱可塑性樹脂で形成される。
印刷層２、ガラスビーズ３、保持層５、反射層４及び基材６の条件は、実施形態１、２と同じである。なお、前述したように反射層４はガラスビーズ３の下側表面を被覆するように、あるいは印刷層２のインキの浸透層として設けられていてもよく、又は実施形態２で述べたようにガラスビーズ３から離されて保持層５の後段に設けられていてもよい。
【実施例１】
【００３７】
再帰反射体（反射層は透明無色）の表面（ガラスビーズの露出面）に透明インキ（東洋インキ製FDカルトンACEマットOPニス）を用い、活版印刷により文字「Ｓａｍｐｌｅ」の透明印刷層を形成した。透明印刷層の厚さは、３μｍと５μｍとした。
層厚３μｍと５μｍの透明印刷層を有するそれぞれの再帰反射体を直径１ｃｍの円形に打ち抜いて形成したラベルを集積回路パッケージに貼り付けた（図８参照）。文字「Ｓａｍｐｌｅ」は、自然光の下では見え難いが、強い光を照射したところ、文字「Ｓａｍｐｌｅ」が浮かび上がって見えた。次いで、シールを箱体から剥ぎ取り、再度、箱体に貼り付け、強い光を照射してシールを観察した。厚さ３μｍの印刷層を有するシールでは、「Ｓａｍｐｌｅ」の文字が削り取られ、文字が削り取られた領域では、「Ｓａｍｐｌｅ」の文字がほとんど読み取れないような、崩れた状態で浮かび上がって見えた。一方、厚さ５μｍの印刷層を有するシールでは、「Ｓａｍｐｌｅ」の文字がくっきりと浮かび上がって見えた。なお、この観察は２０回の繰り返しを行ったが、いずれも同じ結果であった。
【実施例２】
【００３８】
再帰反射体（反射層はオレンジ色透明）のガラスビーズ上に、反射層の色とは異なる色の有色透明インキ（東洋インキ製FDカルトンACEマットOPニス+桜宮化学製マイクロリスイエロー３％（全量に対して））で文字「Ｓａｍｐｌｅ」を厚さ３μｍで印刷した。
得られた有色透明印刷層を有する再帰反射体を直径１ｃｍの円形に打ち抜いて形成したラベルを集積回路パッケージに貼り付けた（図８参照）。
実施例１と同様に、シールの剥ぎ取り試験を行った。「Ｓａｍｐｌｅ」の文字が削られたことは自然光の下でわずかに確認できる程度であったが、強い光を照射したところ反射層の色が強調され、さらに「Ｓａｍｐｌｅ」の文字が崩れていることがはっきり確認できた。なお、この観察は２０回の繰り返しを行ったが、いずれも同じ結果であった。
【図面の簡単な説明】
【００３９】
【図１】本発明の実施形態にかかる、再帰反射体の一例を示した断面図である。
【図２】本発明の実施形態にかかる、再帰反射体の一例を示した断面図である。
【図３】本発明の実施形態にかかる、印刷保護層を設けた再帰反射体の上面図である。
【図４】本発明の実施形態にかかる、印刷保護層を設けた再帰反射体の一例を示した断面図である。
【図５】本発明の実施形態にかかる、印刷保護層を設けた再帰反射体の一例を示した断面図である。
【図６】ラベル残余部を剥離する前のシートの状態を示す平面図である。
【図７】ラベル残余部１１を剥離した状態を示す模式的断面図である
【図８】ラベルが貼付された遊技機の集積回路パッケージケージを示す模式図である。
【図９】遊技機に使用される集積回路に貼付されたパッケージを示す一部破断した模式的斜視図である。
【符号の説明】
【００４０】
１      ラベル
１Ａ    ラベル
１Ｂ    ラベル
１Ｃ    ラベル
２      印刷層
３      ガラスビーズ
４      反射層
５      保持層
６      基材
７      支持層
８      粘着層
９      印刷保護層
１０    ラベル部
１１    ラベル残余部
１２    切れ込み
１３    ラベル打抜きカット
２０    制御基板
２１    集積回路パッケージ
２２    集積回路
【図１】
2009268532.tif 000003
【図２】
2009268532.tif 000004
【図３】
2009268532.tif 000005
【図４】
2009268532.tif 000006
【図５】
2009268532.tif 000007
【図６】
2009268532.tif 000008
【図７】
2009268532.tif 000009
【図８】
2009268532.tif 000010
【図９】
2009268532.tif 000011